(57)【要約】  ウェブ状印刷基材（１２）を高速で連続的に搬送しながら水性インクで表刷り及び裏刷りのいずれも行うことができるようにした、表刷り及び裏刷り兼用のインクジェットプリンタ及びそれを用いたインクジェット印刷方法を提供する。  表刷りの場合に、ウェブ状印刷基材（１２）の表面に対して白色水性インクを吐出する第一白色インクジェットヘッド（２０ａ）と、表刷りの場合に、白色水性インクを乾燥する第一ドラム式乾燥ユニット（２２ａ）と、裏刷りの場合に、ウェブ状印刷基材（１２）の表面に対して白色水性インクを吐出する第二白色インクジェットヘッド（２０ｂ）と、裏刷りの場合に、白色水性インクを乾燥する第二ドラム式乾燥ユニット（２２ｂ）と、を備えるようにした。
2019131204.tif 000002
【特許請求の範囲】
【請求項１】
ウェブ状印刷基材に対してシングルパス方式で水性インクを吐出することにより表刷り及び裏刷りのいずれも可能とした表刷り及び裏刷り兼用のインクジェットプリンタであって、前記ウェブ状印刷基材の連続的な搬送を行なう搬送機構と、表刷りの場合に、前記搬送機構によって搬送される前記ウェブ状印刷基材の表面に対してシングルパス方式で白色水性インクを吐出する第一白色インクジェットヘッドと、表刷りの場合に、前記第一白色インクジェットヘッドによって吐出された白色水性インクを乾燥する第一ドラム式乾燥ユニットと、表刷り及び裏刷りの場合に、前記搬送機構によって搬送される前記ウェブ状印刷基材の表面に対して非白色水性インクを吐出するシングルパス方式インクジェットヘッドと、裏刷りの場合に、前記搬送機構によって搬送される前記ウェブ状印刷基材の表面に対してシングルパス方式で白色水性インクを吐出する第二白色インクジェットヘッドと、裏刷りの場合に、前記第二白色インクジェットヘッドによって吐出された白色水性インクを乾燥する第二ドラム式乾燥ユニットと、を備えた、表刷り及び裏刷り兼用のインクジェットプリンタ。
【請求項２】
前記第一ドラム式乾燥ユニット及び第二ドラム式乾燥ユニットが、前記ウェブ状印刷基材の出入り口を備えた断熱構造の筐体と、前記筐体内部に設置されたドラム体と、前記筐体内部を加温するための加温機構と、を有するドラム式乾燥ユニットであり、前記ドラム体の周面を前記ウェブ状印刷基材が搬送される間に白色水性インクが乾燥せしめられるようにした、請求項１記載のインクジェットプリンタ。
【請求項３】
請求項１又は２記載のインクジェットプリンタを用い、前記第一白色インクジェットヘッドによって吐出された白色水性インクを乾燥せしめ、ウェブ状印刷基材に対してシングルパス方式で水性インクによる表刷りを行うようにした、インクジェット印刷方法。
【請求項４】
請求項１又は２記載のインクジェットプリンタを用い、前記第二白色インクジェットヘッドによって吐出された白色水性インクを乾燥せしめ、ウェブ状印刷基材に対してシングルパス方式で水性インクによる裏刷りを行うようにした、インクジェット印刷方法。
【発明の詳細な説明】
【技術分野】
【０００１】  本発明は、ウェブ状印刷基材に対して水性インクでシングルパス方式の画像形成をするためのインクジェットプリンタ及びそれを用いたインクジェット印刷方法に関する。
【背景技術】
【０００２】  印刷基材を連続的に搬送しながら印刷するにあたっては、スキャン方式とシングルパス方式とがあるが、スキャンする必要がないため特にウェブ状印刷基材を連続的に搬送しながら印刷するにはシングルパス方式の方が高速印刷に向いている。水性インクでシングルパス方式の画像形成をするためのインクジェットプリンタとしては、例えば、特許文献１に記載されたものがある。【０００３】  一方、ウェブ状印刷基材に対してシングルパス方式で印刷を行うにあたっては、用途によって表刷り及び裏刷りがある。【０００４】  例えば、ウェブ状合成樹脂フィルムなどの透明なウェブ状印刷基材に裏刷りする場合には、各色（ブラック（Ｋ），シアン（Ｃ），マゼンタ（Ｍ），イエロー（Ｙ）など）の印刷の後に白色（Ｗ）を印刷面側に印刷する。【０００５】  例えば、ウェブ状の紙や不織布といった不透明なウェブ状印刷基材に表刷りする場合には、白色（Ｗ）を印刷面側に印刷した後に、各色（ブラック（Ｋ），シアン（Ｃ），マゼンタ（Ｍ），イエロー（Ｙ）など）の印刷が行われる。【０００６】  従来は、ウェブ状印刷基材に対してシングルパス方式で裏刷りを行うための裏刷り専用の印刷を行うインクジェットプリンタと、ウェブ状印刷基材に対してシングルパス方式で表刷りを行うための表刷り専用のインクジェットプリンタとをそれぞれ分けて準備し、裏刷りと表刷りをそれぞれのインクジェットプリンタで印刷を行うことが行われていた。【０００７】  しかしながら、裏刷り専用のインクジェットプリンタと表刷りを行うための表刷り専用のインクジェットプリンタとをそれぞれ分けて準備するのでは、それだけ設備費用や設置面積が必要となる。例えば特許文献１に記載された表裏印字装置なども提案されているが、３０ｍ／分ぐらいの印刷速度になってくると、インクの乾燥不足などによるインク流れや色のにじみ、また、多色印刷の際の色の混色などが発生するという問題があり、特に白色を印刷する場合、他の色に比べてより多くのインクを必要するため、乾きにくく、なかなか印刷速度が上げられないという問題があった。【０００８】  このため、ウェブ状印刷基材に対してシングルパス方式で表刷り及び裏刷りが可能であり、高速印刷が可能なインクジェットプリンタの出現が望まれていた。
【先行技術文献】
【特許文献】
【０００９】
【特許文献１】ＷＯ２０１７／１１０４４１
【特許文献２】特開２００２−２３４２１４
【発明の開示】
【発明が解決しようとする課題】
【００１０】  本発明は、ウェブ状印刷基材に対して水性インクで画像形成するにあたって、ウェブ状印刷基材を高速で連続的に搬送しながら表刷り及び裏刷りのいずれも行うことができるようにした、表刷り及び裏刷り兼用のインクジェットプリンタ及びそれを用いたインクジェット印刷方法を提供することを目的とする。
【課題を解決するための手段】
【００１１】  上記課題を解決するため、本発明の表刷り及び裏刷り兼用のインクジェットプリンタは、ウェブ状印刷基材に対してシングルパス方式で水性インクを吐出することにより表刷り及び裏刷りのいずれも可能とした表刷り及び裏刷り兼用のインクジェットプリンタであって、前記ウェブ状印刷基材の連続的な搬送を行なう搬送機構と、表刷りの場合に、前記搬送機構によって搬送される前記ウェブ状印刷基材の表面に対してシングルパス方式で白色水性インクを吐出する第一白色インクジェットヘッドと、表刷りの場合に、前記第一白色インクジェットヘッドによって吐出された白色水性インクを乾燥する第一ドラム式乾燥ユニットと、表刷り及び裏刷りの場合に、前記搬送機構によって搬送される前記ウェブ状印刷基材の表面に対して非白色水性インクを吐出するシングルパス方式インクジェットヘッドと、裏刷りの場合に、前記搬送機構によって搬送される前記ウェブ状印刷基材の表面に対してシングルパス方式で白色水性インクを吐出する第二白色インクジェットヘッドと、裏刷りの場合に、前記第二白色インクジェットヘッドによって吐出された白色水性インクを乾燥する第二ドラム式乾燥ユニットと、を備えた、表刷り及び裏刷り兼用のインクジェットプリンタである。【００１２】  前記第一ドラム式乾燥ユニット及び第二ドラム式乾燥ユニットが、前記ウェブ状印刷基材の出入り口を備えた断熱構造の筐体と、前記筐体内部に設置されたドラム体と、前記筐体内部を加温するための加温機構と、を有するドラム式乾燥ユニットであり、前記ドラム体の周面を前記ウェブ状印刷基材が搬送される間に白色水性インクが乾燥せしめられるようにするのが好適である。【００１３】  本発明のインクジェット印刷方法の第一の態様は、前記インクジェットプリンタを用い、前記第一白色インクジェットヘッドによって吐出された白色水性インクを乾燥せしめ、ウェブ状印刷基材に対してシングルパス方式で水性インクによる表刷りを行うようにした、インクジェット印刷方法である。【００１４】  また、本発明のインクジェット印刷方法の第二の態様は、前記インクジェットプリンタを用い、前記第二白色インクジェットヘッドによって吐出された白色水性インクを乾燥せしめ、ウェブ状印刷基材に対してシングルパス方式で水性インクによる裏刷りを行うようにした、インクジェット印刷方法である。
【発明の効果】
【００１５】  本発明によれば、ウェブ状印刷基材に対して水性インクで画像形成するにあたって、ウェブ状印刷基材を高速で連続的に搬送しながら表刷り及び裏刷りのいずれも行うことができるようにした、表刷り及び裏刷り兼用のインクジェットプリンタ及びそれを用いたインクジェット印刷方法を提供することができるという著大な効果を有する。【００１６】  本発明によれば、ウェブ状印刷基材に対して水性インクで画像形成するにあたって、３０ｍ／分ぐらいの印刷速度であってもインクの乾燥不足などによるインク流れや色のにじみ、また、多色印刷の際の色の混色などが発生することなく印刷が可能である。
【図面の簡単な説明】
【００１７】
【図１】本発明の表刷り及び裏刷り兼用のインクジェットプリンタの一つの実施の形態を示す断面構造説明図であって、表刷りを行う場合を示す。
【図２】図１の裏刷り及び表刷り兼用のインクジェットプリンタで裏刷りを行う場合を示す。
【図３】本発明の表刷り及び裏刷り兼用のインクジェットプリンタを用いて、水性インクの色に応じて画像解像度が異なるようにした画像形成の例を示す模式図である。
【発明を実施するための形態】
【００１８】  以下に本発明の実施の形態を説明するが、これら実施の形態は例示的に示されるもので、本発明の技術思想から逸脱しない限り種々の変形が可能なことはいうまでもない。なお、同一部材は同一符号で表される。
【００１９】  図１及び図２において、符号１０は本発明の表刷り及び裏刷り兼用のインクジェットプリンタを示す。
【００２０】  インクジェットプリンタ１０は、ウェブ状印刷基材１２に対してシングルパス方式で水性インクを吐出することにより表刷り及び裏刷りのいずれも可能とした表刷り及び裏刷り兼用のインクジェットプリンタである。
【００２１】  インクジェットプリンタ１０は、前記ウェブ状印刷基材１２の連続的な搬送を行なう搬送機構１４と、表刷りの場合に、前記搬送機構１４によって搬送される前記ウェブ状印刷基材１２の表面１６に対してシングルパス方式で白色水性インクを吐出する第一白色インクジェットヘッド２０ａと、表刷りの場合に、前記第一白色インクジェットヘッド２０ａによって吐出された白色水性インクを乾燥する第一ドラム式乾燥ユニット２２ａと、表刷り及び裏刷りの場合に、前記搬送機構１４によって搬送される前記ウェブ状印刷基材１２の表面に対して非白色水性インクを吐出するシングルパス方式インクジェットヘッド２４ａ〜２４ｄと、裏刷りの場合に、前記搬送機構１４によって搬送される前記ウェブ状印刷基材１２の表面１６に対してシングルパス方式で白色水性インクを吐出する第二白色インクジェットヘッド２０ｂと、裏刷りの場合に、前記第二白色インクジェットヘッド２０ｂによって吐出された白色水性インクを乾燥する第二ドラム式乾燥ユニット２２ｂと、を備えた表刷り及び裏刷り兼用のインクジェットプリンタである。
【００２２】  前記搬送機構１４は、図示例では、巻き出しロールを備えた巻き出し部１５と、巻き取りロールを備えた巻き取り部１８によって構成されている。これら搬送機構１４の基本的な構成については、特許文献１のものを採用できる。  
【００２３】  なお、前記画像形成とは、インクジェットプリンタでの印刷は、吐出したインク滴のドット群によってデジタルイメージが作成されることから、吐出したインク滴のドット群によってデジタルイメージが作成されることを指す。従って、本願明細書において、印刷と画像形成とは同義である。
【００２４】  ウェブ状印刷基材１２はウェブ状の印刷基材であれば良いものであるが、例えば、前記ウェブ状印刷基材としては透明なフィルムの他、紙や不織布などの不透明なウェブ状印刷基材も適用できる。フィルムの材質に特別の限定はないが、例えばフィルムのウェブ状印刷基材として、ＰＥＴ（ポリエチレンテレフタレート）、ＰＶＣ（ポリ塩化ビニル）、ＰＰ（ポリプロピレン）、ＰＥ（ポリエチレン）、ＰＳ（ポリスチレン）、ＮＹ（ナイロン）などの合成樹脂を用いたフィルムなどが好適に使用できる。或いは、アルミニウムなどの金属をフィルム状とした、金属フィルムも好適に使用できる。
【００２５】  非白色水性インクを吐出するシングルパス方式インクジェットヘッド２４ａ〜２４ｄとしては、図示例では、インクジェットヘッド２４ａはＢ（ブラック）、インクジェットヘッド２４ｂはＣ（シアン）、インクジェットヘッド２４ｃはＭ（マゼンタ）、インクジェットヘッド２４ｄはＹ（イエロー）の例を示し、各色のインク貯留タンク（図示は省略）を各々有しており、各インクジェットヘッド２４ａ〜２４ｄから各色の水性インクが吐出される構成となっている。第一白色インクジェットヘッド２０ａ及び第二白色インクジェットヘッド２０ｂからも同様にして白色の水性インクが吐出される構成となっている。これらのインクジェットヘッドとしては、公知の種々のシングルパス方式インクジェット吐出装置が適用可能である。例えば、特許文献１に記載のインクジェットヘッドを各インクジェットヘッドとして使用できる。
【００２６】  また、第一白色インクジェットヘッド２０ａ及び第二白色インクジェットヘッド２０ｂ並びに非白色水性インクのインクジェットヘッド２４ａ〜２４ｄのインクジェットヘッドの解像度を水性インクの色に応じて変更せしめることが好適である。
【００２７】  図１に示した如く、前記シングルパス方式のインクジェットヘッド２０ａ，２０ｂ，２４ａ〜２４ｄは、ライン状に並べられた複数のインクジェットノズルを有するインクジェットヘッドである。前記複数のシングルパス方式のインクジェットヘッド２０ａ，２０ｂ，２４ａ〜２４ｄが、解像度が異なるインクジェットヘッドを備えていることが好適である。図示例では、シングルパス方式のインクジェットヘッド２０ａ，２０ｂ，２４ａ〜２４ｄの各々を各色に対応させて解像度を予め設定したインクジェットヘッドとしてある。第一及び第二白色インクジェットヘッド２０ａ，２０ｂは解像度が３６０ｄｐｉのＷ（白色）、非白色水性インクのインクジェットヘッド２４ａは解像度が６００ｄｐｉのＢ（ブラック）、非白色水性インクのインクジェットヘッド２４ｂは解像度が６００ｄｐｉのＣ（シアン）、非白色水性インクのインクジェットヘッド２４ｃは解像度が６００ｄｐｉのＭ（マゼンタ）、非白色水性インクのインクジェットヘッド２４ｄは解像度が６００ｄｐｉのＹ（イエロー）の例を示した。
【００２８】  このように解像度を設定するには、ライン状に設置される複数のインクジェットノズルの吐出口の大きさと吐出口の数（即ちノズルの本数）、そしてノズルの間隔を調整すれば解像度を決めることができる。
【００２９】  インクジェットヘッド２０ａ，２０ｂ，２４ａ〜２４ｄの各色の解像度は必要に応じて適宜設定すればよく、特に制限はないが、第一白色インクジェットヘッド２０ａ及び／又は第二白色インクジェットヘッド２０ｂの解像度が、非白色水性インクのインクジェットヘッド２４ａ〜２４ｄの解像度より低いことが好適である。第一及び第二白色インクジェットヘッド２０ａ，２０ｂの解像度を、非白色水性インクのインクジェットヘッド２４ａ〜２４ｄの解像度より下げることにより、インクジェットヘッドのノズルの詰まりを防止し且つ高精細な印刷を可能とすることができる。
【００３０】  インクジェットヘッド２０ａ，２０ｂ，２４ａ〜２４ｄのノズルからインクを吐出する方式としては特に制限はなく、例えば、ピエゾ素子による電圧印加により電圧を制御し、インクの吐出量を制御するピエゾ方式や、ヒータにより加熱によりインクを吐出するサーマル（バブル）方式、バルブによりインクを加圧してインクを吐出するバルブ方式等が好適である。
【００３１】  図３は、本発明の表刷り及び裏刷り兼用のインクジェットプリンタを用いて、水性インクの色に応じて画像解像度が異なるようにした画像形成の例を示す模式図であり、符号８８は白色画像、符号９０は非白色画像である。図３における画像形成の条件を下記表１に示す。
【００３２】
【表１】
2019131204.tif 000003
【００３３】  表１に示す如く、図３では、第一及び第二白色インクジェットヘッド２０ａ，２０ｂの解像度を、非白色水性インクのインクジェットヘッド２４ａ〜２４ｄの解像度より低く設定して、画像形成を行なった例を示した。また、第一及び第二白色インクジェットヘッド２０ａ，２０ｂの液適量を、非白色水性インクのインクジェットヘッド２４ａ〜２４ｄの液適量より多く設定し、第一及び第二白色インクジェットヘッド２０ａ，２０ｂのノズルピッチを、非白色水性インクのインクジェットヘッド２４ａ〜２４ｄのノズルピッチよりも大に設定した。さらに、非白色水性インク（Ｂ，Ｃ，Ｍ，Ｙ）に比べて固形分及び粘度が高い白色水性インク（Ｗ）を用いた。このようにすることにより、白色水性インクの乾燥がさらに早くなる。
【００３４】  図３に示した如く、第一及び第二白色インクジェットヘッド２０ａ，２０ｂの解像度を、非白色水性インクのインクジェットヘッド２４ａ〜２４ｄの解像度より低くすることにより、白色インクのインク滴が大きくなり、べた塗り印刷時にスジや濃度ムラが起こり難く、さらに、インクジェットヘッドのノズルの詰まりを防止することができる。さらにはまた、低解像度の方がインク滴が大きくなり濃度が上がるため単色で印刷をする部分の濃度を上げやすくなる。このため、従来は、例えば白色インクの場合には何回も白色を重ねて印刷をしたりしていたが、そのような重ね刷り印刷をする必要がなくなるという利点もある。
【００３５】  また、第一白色インクジェットヘッド２０ａ及び第二白色インクジェットヘッド２０ｂ並びに非白色水性インクを吐出するインクジェットヘッド２４ａ〜２４ｄのインクジェットヘッドの隣には、水性インクが吐出されたウェブ状印刷基材１２の少なくとも表面１６を加温する表面加温部７０ａ〜７０ｆが設けられている。表面加温部７０ａ〜７０ｆとしては例えば特許文献１に記載された表面加温部を適用することができ、特許文献１に記載された温風吹き付け手段などを表面加温部７０ａ〜７０ｆとして適用できる。表面加温部として温風吹き付け手段を採用する場合、４０℃〜８０℃程度、例えば７０℃の温風が前記ウェブ状印刷基材１２の表面に当てられる。温風を当てる時間としては、印刷速度が３０ｍ／分の場合、１秒〜２秒程度であるが、温風の温度によっても適宜変更される。
【００３６】  また、ウェブ状印刷基材１２を搬送するための種々のローラ２６，２８，３０，３２，３４，３６，３８，４０，４２，４４，４６，４８，５０，５２，５４，５６，５８，６０，６１，６２，６４，６６，６８が設けられており、かかるローラを介してウェブ状印刷基材１２が搬送されて、巻き取り部１８へと送られる。
【００３７】  表刷りの場合に、前記第一白色インクジェットヘッド２０ａによって吐出された白色水性インクを乾燥する第一ドラム式乾燥ユニット２２ａは、前記ウェブ状印刷基材１２の入り口７２及び出口７４を備えた断熱構造の筐体７６と、前記筐体７６内部に設置されたドラム体７８と、前記筐体７６内部を加温するための加温機構（図示は省略）と、を有するドラム式乾燥ユニットである。そして、前記ドラム体７８の周面を前記ウェブ状印刷基材１２が搬送される間に白色水性インクが乾燥せしめられる構成とされている。
【００３８】  裏刷りの場合に、前記第二白色インクジェットヘッド２０ｂによって吐出された白色水性インクを乾燥する第二ドラム式乾燥ユニット２２ｂは、前記ウェブ状印刷基材１２の入り口８０及び出口８２を備えた断熱構造の筐体８４と、前記筐体８４内部に設置されたドラム体８６と、前記筐体８４内部を加温するための加温機構（図示は省略）と、を有するドラム式乾燥ユニットである。そして、前記ドラム体８６の周面を前記ウェブ状印刷基材１２が搬送される間に白色水性インクが乾燥せしめられる構成とされている。
【００３９】  かかる第一ドラム式乾燥ユニット２２ａ及び第二ドラム式乾燥ユニット２２ｂの加温機構としては、例えば公知の温風送風機構が挙げられる。第一ドラム式乾燥ユニット２２ａ及び第二ドラム式乾燥ユニット２２ｂの乾燥能力としては、ウェブ状印刷基材１２を５０℃〜１００℃程度に加温できる能力を有するのが好適である。
【００４０】  このように、本発明の表刷り及び裏刷り兼用のインクジェットプリンタ１０では、他の色に比べてより多くのインクを必要する白色を第一白色インクジェットヘッド２０ａから前記ウェブ状印刷基材１２に吐出した場合でも、第一ドラム式乾燥ユニット２２ａを通過させるので、次の非白色水性インクをインクジェットヘッド２４ａ〜２４ｄから吐出する前に前記ウェブ状印刷基材１２の表面を乾燥させることができる。
【００４１】  また、他の色に比べてより多くのインクを必要する白色を第二白色インクジェットヘッド２０ｂから前記ウェブ状印刷基材１２に吐出した場合でも、第二ドラム式乾燥ユニット２２ｂを通過させるので、巻き取り部１８でウェブ状印刷基材１２を巻き取る前に前記ウェブ状印刷基材１２の表面を乾燥させることができる。
【００４２】  ＜表刷り＞  本発明の表刷り及び裏刷り兼用のインクジェットプリンタ１０を用いて表刷りを行う場合には、図１のようにウェブ状印刷基材１２が搬送されるようにセットする。
【００４３】  図１に示す表刷りの場合には、第一白色インクジェットヘッド２０ａのみを使用し、第二白色インクジェットヘッド２０ｂは不使用となる。また、第一ドラム式乾燥ユニット２２ａを使用して白色インクを乾燥させる。第二ドラム式乾燥ユニット２２ｂについては、必ずしも使用する必要はないが、インクジェットヘッド２４ａ〜２４ｄから吐出されたインクをすぐに乾燥させることができるので、必要に応じて、第二ドラム式乾燥ユニット２２ｂは使用すればよい。
【００４４】  図１に示す表刷りの場合には、ウェブ状印刷基材１２には第一白色インクジェットヘッド２０ａから白色インクが吐出された後、第一ドラム式乾燥ユニット２２ａで白色インクが乾燥せしめられる。そして、次に、インクジェットヘッド２４ａ〜２４ｄから非白色水性インクである各色のインクが吐出される。第二ドラム式乾燥ユニット２２ｂを使用する場合には、第二ドラム式乾燥ユニット２２ｂで乾燥せしめられた後、巻き取り部１８でウェブ状印刷基材１２が巻き取られる。第二ドラム式乾燥ユニット２２ｂを使用しない場合には、インクジェットヘッド２４ａ〜２４ｄから非白色水性インクである各色のインクが吐出された後、巻き取り部１８でウェブ状印刷基材１２が巻き取られる。
【００４５】  このようにして、本発明のインクジェット印刷方法の第一の態様では、インクジェットプリンタ１０を用い、前記第一白色インクジェットヘッド２０ａによって吐出された白色水性インクを乾燥せしめ、ウェブ状印刷基材１２に対してシングルパス方式で水性インクによる表刷りを行うことができる。
【００４６】  ＜裏刷り＞  本発明の表刷り及び裏刷り兼用のインクジェットプリンタ１０を用いて裏刷りを行う場合には、図２のようにウェブ状印刷基材１２が搬送されるようにセットする。図２の例では、図１の表刷りの場合と比べてローラ６１が増えて、ローラ６１にもウェブ状印刷基材１２が巻回されているが、ローラへの巻回のさせ方が異なるだけで、基本的な装置構成は同じである。
【００４７】  図２に示す裏刷りの場合には、第二白色インクジェットヘッド２０ｂのみを使用し、第一白色インクジェットヘッド２０ａは不使用となる。また、第二ドラム式乾燥ユニット２２ｂを使用して白色インクを乾燥させる。第一ドラム式乾燥ユニット２２ａは不使用となる。
【００４８】  図２に示す裏刷りの場合には、ウェブ状印刷基材１２にはインクジェットヘッド２４ａ〜２４ｄから非白色水性インクである各色のインクが吐出された後、第二白色インクジェットヘッド２０ｂから白色インクが吐出される。そして、第二ドラム式乾燥ユニット２２ｂで白色インクが乾燥せしめられるほか、非白色水性インクである各色のインクについても併せて乾燥せしめられる。その後、巻き取り部１８でウェブ状印刷基材１２が巻き取られる。
【００４９】  このようにして、本発明のインクジェット印刷方法の第二の態様では、インクジェットプリンタ１０を用い、前記第二白色インクジェットヘッド２０ｂによって吐出された白色水性インクを乾燥せしめ、ウェブ状印刷基材１２に対してシングルパス方式で水性インクによる裏刷りを行うことができる。
【００５０】  このように、本発明では、一台のインクジェットプリンタ１０があれば、ウェブ状印刷基材に対して水性インクで画像形成するにあたって、表刷り及び裏刷りのいずれも行うことができる。
【符号の説明】
【００５１】１０：本発明に係る表刷り及び裏刷り兼用のインクジェットプリンタ、１２：ウェブ状印刷基材、１４：搬送機構、１５：巻き出し部、１６：ウェブ状印刷基材の表面、１８：巻き取り部、２０ａ：第一白色インクジェットヘッド、２０ｂ：第二白色インクジェットヘッド、２２ａ：第一ドラム式乾燥ユニット、２２ｂ：第二ドラム式乾燥ユニット、２４ａ〜２４ｄ：非白色水性インクのインクジェットヘッド、２６，２８，３０，３２，３４，３６，３８，４０，４２，４４，４６，４８，５０，５２，５４，５６，５８，６０，６１，６２，６４，６６，６８：ローラ、７２，８０：入り口、７４，８２：出口、７６，８４：筐体、７８，８６：ドラム体、８８：白色画像、９０：非白色画像。
【図１】
2019131204.tif 000004
【図２】
2019131204.tif 000005
【図３】
2019131204.tif 000006
【国際調査報告】
2019131204.tif 000007
2019131204.tif 000008
2019131204.tif 000009
2019131204.tif 000010